(57)【要約】      （修正有）【課題】蓋部材に対する少ない操作で、添加物を収容された液体に混合させることができる、蓋及びその蓋を有する容器を提供する。【解決手段】螺合方向を互いに反対方向にすることで、蓋部材３が口部１２をねじ締めると、内部カバー２は、蓋部材の回転とともに、下延伸管３２の開孔と内部カバーの排出孔２３とが開いて連通させるまでに、容器本体１の収容空間１１内部に変位させ、添加物が排出孔から排出され、収容された液体に混合される。上記の操作が簡単であり、且つ蓋部材が口部から外された時に、排出孔が再び閉じられ、蓋部材内に残存の添加物が外部に漏れることが防止される。【選択図】図２
2018177368.tif 000002
【特許請求の範囲】
【請求項１】
容器本体において、開口部を有する口部にねじ締め可能に螺合される蓋であって，
前記蓋は、内部カバーと、蓋部材とを有し、
前記内部カバーは、中空構造であり、且つ両端のそれぞれに開放端部と封止端部とを有し、且つ、前記口部の開口部において、前記内部カバーの外周には、前記口部の内壁に一時的に当接可能な抵抗手段を有し、前記内部カバーは、前記抵抗手段と前記封止端部との間に少なくとも１つの排出孔が設けられ、且つ前記内部カバーの内周に第１雌ねじ部を有し、
前記蓋部材は、第２雌ねじ部と下延伸管とを有し、
前記第２雌ねじ部が前記口部の第１雄ねじ部に螺合され、
前記下延伸管が前記口部の内部に延伸し、
前記下延伸管の内部には、添加物を収容できる収容空間が設けられ、且つ前記下延伸管の末端が開放され開孔を有し、
前記下延伸管の外周には、第２雄ねじ部が設けられ、前記内部カバーが、第１雌ねじ部と前記第２雄ねじ部との螺合によって、前記下延伸管の末端が前記封止端部に当接され、且つ前記開孔と前記少なくとも１つの排出孔とが一時的に閉鎖して連通しておらず、前記内部カバーは、第１雌ねじ部と前記下延伸管の第２雄ねじ部との螺合方向が前記第２雌ねじ部と前記第１雄ねじ部との螺合方向と反対であり、
前記口部の開口部において、前記内部カバーは、前記内壁に一時的に当接する前記抵抗手段を有し、前記蓋部材が前記口部にしっかり締め付けると、前記内部カバーが、前記蓋部材の回転とともに、前記容器本体の収容空間の内部に変位し、前記螺合方向と反対な方向で前記下延伸管よりも前記容器本体の収容空間内部にさらに変位することにより、前記下延伸管の末端が、前記封止端部と当接する位置から離れ、且つ前記下延伸管の開孔と前記少なくとも１つの排出孔とが開放されて互いに連通するようになり、前記添加物が、前記少なくとも１つの排出孔から排出できる、ことを特徴とする蓋。
【請求項２】
前記抵抗手段は、前記内部カバーの位置に、環状に配置される、径方向に突出する複数の環状凸部であり、又は前記内部カバーの位置に、径方向に突出する、環状に排列される複数の凸部である、ことを特徴とする請求項１に記載の蓋である。
【請求項３】
前記内部カバーの第１雌ねじ部が、前記抵抗手段と前記開放端部との間に位置する、ことを特徴とする請求項１に記載の蓋。
【請求項４】
内管を有し、
前記内部カバーと前記下延伸管とが螺合される場合、
前記下延伸管内において、前記内管の一端が前記封止端部と前記蓋部材とのいずれか一方の内部に延伸し、且つ他端が前記封止端部と前記蓋部材との前記いずれかの他方に延伸し、
前記内管は、両端部にある封止端部と蓋部材とを貫通する穿孔を有し、且つ前記穿孔を前記蓋部材の一端に封止できる漏れ防止部材を有し、
吸引管は、前記漏れ防止部材が前記穿孔の一端から外された時に、前記穿孔を通過して前記蓋部材と前記封止端部とを貫通して、前記容器本体内部に挿入できる、ことを特徴とする請求項１に記載の蓋。
【請求項５】
前記蓋部材の頂端部には、上延伸管を有し、
前記上延伸管は、前記下延伸管を十分に収容できる空間を有し、且つ前記上延伸管は、第３雄ねじ部を有し、前記第３雄ねじ部と前記蓋部材内の第２雌ねじ部とが対応するねじ山を有し、前記穿孔が、前記蓋部材の一端に前記上延伸管を貫通し、前記上延伸管は、吸引部材が固着することに用いられ、前記吸引部材は、吸引管を有し、前記吸引管が、前記内管と前記穿孔とを貫通して前記容器内に延伸し、前記吸引部材が作動中に前記容器に収容された前記添加物を混合した液体を吸い取ることに用いられる、ことを特徴とする請求項４に記載の蓋。
【請求項６】
蓋を有する容器であって、容器本体と、内部カバーと、蓋部材を有し、
前記容器本体は、内部に設けられた収容空間と、口部とを有し、
前記口部が、前記収容空間と連通する開口部を有し、
前記内部カバーが、中空構造であり、且つ両端のそれぞれに開放端部と封止端部とを有し、且つ、前記口部の開口部において、前記内部カバーの外周には、前記口部の内壁に一時的に当接可能な抵抗手段を有し、前記内部カバーは、前記抵抗手段と前記封止端部との間に少なくとも１つの排出孔が設けられ、且つ前記内部カバーは、内周に第１雌ねじ部を有し、
前記蓋部材が、第２雌ねじ部と下延伸管とを有し、
前記第２雌ねじ部が、前記口部の第１雄ねじ部に螺合され、
前記下延伸管が、前記口部の内部に延伸し、
前記下延伸管の内部には、添加物を収容できる収容空間が設けられ、且つ前記下延伸管の末端が開放され、開孔を有し、
前記下延伸管の外周には、第２雄ねじ部が設けられ、前記内部カバーが、第１雌ねじ部と前記第２雄ねじ部との螺合によって、前記下延伸管の末端が前記封止端部に当接され、且つ前記開孔と前記少なくとも１つの排出孔とが一時的に閉鎖して連通しておらず、前記内部カバーは、第１雌ねじ部と前記下延伸管の第２雄ねじ部との螺合方向が、前記第２雌ねじ部と前記第１雄ねじ部との螺合方向と反対であり、
前記口部の開口部において、前記内部カバーは、前記内壁に一時的に当接する前記抵抗手段を有し、前記蓋部材が前記口部にしっかり締め付けると、前記内部カバーが、前記蓋部材の回転とともに、前記容器本体の収容空間の内部に変位し、前記螺合方向と反対な方向で前記下延伸管よりも前記容器本体の収容空間内部にさらに変位することにより、前記下延伸管の末端が、前記封止端部と当接する位置から離れ、且つ前記下延伸管の開孔と前記少なくとも１つの排出孔とが開放されて互いに連通するようになり、前記添加物が、前記少なくとも１つの排出孔から排出できる、ことを特徴とする蓋を有する容器。
【請求項７】
前記抵抗手段は、前記内部カバーの位置に、環状に配置される、径方向に突出する複数の環状凸部であり、又は前記内部カバーの位置に、径方向に突出する、環状に排列される複数の凸部である、ことを特徴とする請求項６に記載の蓋を有する容器。
【請求項８】
前記内部カバーの雌ねじ部が、前記抵抗手段と前記開放端部との間に位置する、ことを特徴とする請求項６に記載の蓋を有する容器。
【請求項９】
内管を有し、
前記内部カバーと前記下延伸管とが螺合される場合、
前記下延伸管内において、前記内管の一端が前記封止端部と前記蓋部材とのいずれか一方の内部に延伸し、且つ他端が前記封止端部と前記蓋部材との前記いずれかの他方に延伸し、
前記内管は、両端部にある封止端部と蓋部材とを貫通する穿孔を有し、且つ前記穿孔を  前記蓋部材の一端に封止できる漏れ防止部材を有し、
吸引管は、前記漏れ防止部材が前記穿孔の一端から外された時に、前記穿孔を通過して前記蓋部材と前記封止端部とを貫通して、前記容器本体内部に挿入できる、ことを特徴とする請求項６に記載の蓋を有する容器。
【請求項１０】
前記蓋部材の頂端部には、上延伸管を有し、
前記上延伸管は、前記下延伸管を十分に収容できる空間を有し、且つ前記上延伸管は、第３雄ねじ部を有し、前記第３雄ねじ部と前記蓋部材内の第２雌ねじ部とが対応するねじ山を有し、前記穿孔が、前記蓋部材の一端に前記上延伸管を貫通し、前記上延伸管は、吸引部材が固着することに用いられ、前記吸引部材は、吸引管を有し、前記吸引管が、前記内管と前記穿孔とを貫通して前記容器内に延伸し、前記吸引部材が作動中に前記容器に収容された前記添加物を混合した液体を吸い取ることに用いられる、ことを特徴とする請求項９に記載の蓋を有する容器。
【発明の詳細な説明】
【技術分野】
【０００１】
本発明は、蓋及びその蓋を有する容器に関し、特に物品を収容できる器具に関する。
【背景技術】
【０００２】
台湾特許第ＴＷＩ５０８９０３、ＴＷＩ５０８８９９号公報による発明は、出願人が以前製作した、蓋及び容器に関する発明である。前記２つの特許技術文献に開示された蓋は、蓋部材と固定部材とからなり、固定部材で蓋部材を取り付けることによって、添加物を充填するための密閉空間が形成され、且つ、蓋部材の回転により、固定部材が露出した口部から添加物を排出し、添加物と容器内の液体とが混合されることを実現できる。
前記蓋部材の回転により、蓋部材が緩められ、固定部材が、蓋部材とともに上方に変位し、固定部材の開口部が露出するようになる。添加物を放出した後、容器を振ることで、添加物と収容された液体とを十分に混合させるが、飲用する時に、蓋部材が取り外されるまでに緩められる必要がある。したがって、添加物と収容された液体とを混合して飲用するまで、蓋部材に対する操作が多く、且つ取り外される時、露出している開口部に液体が滴下することが生じる。
【発明の概要】
【発明が解決しようとする課題】
【０００３】
本発明の主な目的は、上記問題点を解決できる蓋及びその蓋を有する容器を提供することである。内部カバーと蓋部材との螺合方向が蓋部材と口部との螺合方向と反対であることによって、蓋部材が口部に締め付けられると、内部カバーが、下延伸管の開孔と内部カバーの排出孔とが開放され連通するまでに、下延伸管に対して容器の開口部内に移動し、これによって、添加物が排出孔から排出され、さらに、容器を振ることによって添加物を収容された液体に混合させることができる。このような構成によって、蓋部材に対する操作が少なくなり、且つ蓋を取り出して飲用する際、蓋から液体が漏れることが生じない。
【課題を解決するための手段】
【０００４】
前記目的を達成するために、本発明は、容器本体と内部カバーと蓋部材とを備える。
【０００５】
前記容器本体は、収容空間と口部とを有し、前記収容空間が前記容器本体の内部に設けられ、前記口部が前記収容空間と連通する開口部を有する。
前記内部カバーが中空構造であり、且つ両端のそれぞれには、開放端部と封止端部とを有する。前記口部の開口部において、前記内部カバーの外周には、前記口部の内壁に一時的に当接可能な抵抗手段を有する。前記内部カバーは、前記抵抗手段と前記封止端部との間に少なくとも一つの排出孔を設け、且つ前記内部カバーは、内周面に第１雌ねじ部を設けている。
【０００６】
前記蓋部材は、第２雌ねじ部と下延伸管とを有する。前記第２雌ねじ部が、前記口部の第１雄ねじ部に螺合され、前記下延伸管が、前記開口部の内部に延伸する。前記下延伸管の内部には、添加物を収容できる収容空間が設けられ、且つ前記下延伸管の末端が開放され開孔を有し、前記下延伸管の外周には、第２雄ねじ部を有する。前記内部カバーは、前記第１雌ねじ部と前記第２雄ねじ部との螺合によって、前記下延伸管の末端が前記封止端部に当接し、且つ前記開孔と前記少なくとも１つの排出孔とが一時的に閉鎖して連通されない。前記内部カバーは、第１雌ねじ部と前記下延伸管の第２雄ねじ部との螺合方向が前記第２雌ねじ部と前記第１雄ねじ部との螺合方向と反対である。
【０００７】
前記口部の開口部において、前記内部カバーは、前記内壁に一時的に当接する前記抵抗手段を有する。前記蓋部材が前記口部にしっかり締め付けると、前記内部カバーが、前記蓋部材の回転とともに、前記容器本体の収容空間の内部に向かって移動し、且つ前記螺合方向と反対な方向に回転され、前記下延伸管よりも前記容器本体の収容空間内部に変位することにより、前記下延伸管の末端が、前記封止端部と当接する位置から離れ、且つ前記下延伸管の開孔と前記少なくとも１つの排出孔とが開放されて互いに連通するようになり、前記添加物が、前記少なくとも１つの排出孔から排出することができる。
【図面の簡単な説明】
【０００８】
【図１】本発明の第１実施例における蓋部材、内部カバー及び容器本体の立体分解図である。
【図２】図１の蓋と容器本体とが分離している状態での断面構造を示す図である。
【図３】本発明の第２実施例における蓋部材、内部カバー及び容器本体の立体分解図である。
【図４】図２の蓋部材が時計回りで下に回転され、締め付けられた状態での断面図であり、添加物が排出孔より排出することを示している。
【図５】図４の蓋部材が反時計回りで上に回転されて、緩められた状態での断面図であり、内部カバーが蓋部材の回転とともに、口部から取り外された状態を示している。
【図６】本発明の第３実施例の断面構造を示す図であり、リングを設けていることを示している。
【図７】本発明の第４実施例における蓋部材に設けられた漏れ防止部材が取り外され、且つ吸引管が内管の穿孔を経て容器本体の収容空間内に挿入している状態の断面図を示している。
【図８】本発明の第５実施例における蓋部材、内部カバー及び容器本体の立体分解図であり、図面において、蓋部材の上延伸管に噴霧ヘッドが取付けられた状態を示している。
【図９】本発明の第５実施例の使用状態を示す図である。
【図１０】本発明の第５実施例における複数の蓋が容器本体に取付けられた状態での断面図である。
【図１１】本発明の第６実施例における蓋部材、内部カバー及び容器本体の断面図である。
【発明を実施するための形態】
【０００９】
図１〜図１１は、本発明の好ましい実施形態として示しており、これらの実施形態は、本発明を詳しく説明するためのであり、これに限定されるものではない。
【００１０】
本発明は、蓋及びその蓋を有する容器を提供し、第１実施例において、図１及び図２に示すように、前記蓋が容器本体１に装着され、内部カバー２と蓋部材３とを備えている。
【００１１】
図２に示すように、容器本体１の内部には、収容空間１１と口部１２とが設けられ、且つ口部１２は、収容空間１１に連通する開口部１３を備える。本実施例において、容器本体１は液体飲料を収容するボトルである。本実施例に記載される容器本体１は、前記蓋と組み合わせて使用することができる任意に選択されたものであり、例えば、蓋を取り外した市販のボトルは、前記蓋と併用して再利用することができる。
【００１２】
図１及び図２に示すように、内部カバー２は、中空構造であり、且つ両端のそれぞれには、開放端部２１と封止端部２２とを有する。内部カバー２は、外周に抵抗手段を有し、内部カバー２は、前記抵抗手段によって、口部１２の開口部１３において、前記口部１２の内壁１２１に一時的に当接可能になり、内部カバー２は、前記抵抗手段と封止端部２２との間に、少なくとも１つの排出孔２３を設け、且つ内部カバー２は、内周面に第１雌ねじ部２４を有する。本実施例において、第１雌ねじ部２４が、前記抵抗手段と開放端部２１との間に位置する。
【００１３】
図１及び図２に示すように、本実施例において、前記抵抗手段は複数の環状凸部２５であり、各環状凸部２５が、内部カバー２の位置で径方向に突出しており、且つ環状凸部２５の間に、Ｏ字リング２５１が配置されている。このＯ字リング２５１は、漏れ防止、及び環状凸部２５が内壁１２１に位置決めを補助できる効果を奏する。また、図３に示すように、第２実施例の場合、前記抵抗手段は、複数の凸部２５Ａであっても良い。この複数の凸部２５Ａが、内部カバー２の位置で径方向に突出しており、且つ環状に配置されている。口部１２は、開口部１３の内部に複数の溝部１２２を有し、複数の凸部２５Ａが対応して配置されると、内部カバー２の開口部１３において、口部１２に対する回転が規制されるようになる。前述した実施例において、内部カバー２に、環状のように配置された複数の排出孔２３を有する。本発明において、前記抵抗手段は、口部１２の開口部１３において、内壁１２１に一時的に当接することは、抵抗手段が内壁１２１に対する変位又は回転を規制するためではなく、内部カバー２の受力が前記当接する力より大きい場合、内部カバーが抵抗力を克服しながら開口部１３において依然として変位又は回転することができることのためである。
【００１４】
図１〜図３に示すように、蓋部材３が、口部１２と螺合するように構成され、ねじ締め又はねじ緩めことが可能である。なお、ここに述べる螺合とは、蓋部材３の第２雌ねじ部３１と口部１２の第１雄ねじ部１２３とが互いに螺合されることを意味している。蓋部材３は、下延伸管３２を有し、前記下延伸管３２は、蓋部材３が口部１２に締め付けられた時に、前記開口部１３内に延伸している。下延伸管３２には、添加物を収容できる収容空間３３が設けられ、且つ下延伸管３２の末端が開放され、開孔３４が設けられている。下延伸管３２の外周には、第２雄ねじ部３２１が設けられ、第１雌ねじ部２４と第２雄ねじ部３２１とが、下延伸管３２の末端が封止端部２２に当接するまでに螺合されると、開孔３４と排出孔２３との両方が一時的に閉鎖され、連通しないようになる。なお、ここに述べる添加物とは、例えば、酢、酒、コーヒーなどの液体と、ビタミン剤、緑茶、酵素粉末などの粉末とを混合して容器本体１に収容された液体、或いは収容された粉末を意味している。
【００１５】
なお、上記の説明では、内部カバー２の第１雌ねじ部２４と下延伸管３２の第２雄ねじ部３２１との螺合方向は、蓋部材３と口部１２との螺合方向と反対であり、即ち、第２雌ねじ部３１と第１雄ねじ部１２３とが螺合する方向に対して反対である。
【００１６】
図４に示すように、前記蓋が容器本体１の口部１２に締め付けられた状態を示しており、収容空間３３に収容された添加物が排出孔２３から排出されたい場合、蓋部材３が口部１２に対して時計回り方向に回転されて締められると、下延伸管３２は、開口部１３において、回転して収容空間１１内部に変位される。内部カバー２は、複数の環状凸部２４により内壁１２１に一時的に当接されるため、下延伸管３２の回転とともに連動されないが、下延伸管３２とともに収容空間１１内に変位することができる。また、前記螺合方向と反対な方向であるため、下延伸管３２の回転によって、内部カバー２の第１雌ねじ部２４が、螺合されている第２雄ねじ部３２１で駆動され、下延伸管３２に対して収容空間１１内の方向に変位する。したがって、蓋部材３が口部１２をねじ締める時に、内部カバー２は、開口部１３において、蓋部材３の回転により収容空間１１に変位し、且つ前記螺合方向と反対な方向で、下延伸管３２に対して収容空間１１の内部に変位することができる。開孔３４と排出孔２３とが開いて連通されるまで変位すると、前記添加物を排出孔２３から排出し、収容空間１１内で液体と混合させることができる。また、この時、蓋部材３が口部１２に締め付けられた状態であるため、添加物と液体とを十分に混合させるまで容器本体１を振ることができる。図５に示すように、前記添加物を混合した液体を飲用する際、蓋部材３が口部１２から脱着され、開口部１３が露出するまでに蓋部材３を反時計回り方向に回転し、口部１２からねじ緩められれば良い。
【００１７】
以上の説明から、本発明の優れる点は、内部カバー２の第１雌ねじ部２４と蓋部材３の下延伸管３２の第２雄ねじ部３２１との螺合方向は、蓋部材３と口部１２との螺合方向と反対方向であることによって、蓋部材３が口部１２に締め付けられることだけで、内部カバー２を下延伸管３２に対して容器本体１の収容空間１１内部に変位させ、内部カバー２の排出孔２３を露出させることができる。添加物が、露出した排出孔２３から排出することによって、容器本体１を振らせて添加物を収容される液体に混合させることができる。これは、必ず一度締め付けられてから、緩めて添加物を排出させた後、振って、さらに緩めて飲用する周知の蓋部材と比べ、締め付け及び緩めることを行うことが一回であれば十分であり、且つ排出孔２３は蓋部材３が口部１２から離した時に閉じられる状態であり、液体が漏れる問題が生じない。
【００１８】
図６に示すように、第３実施例において、容器と蓋とは、市販の組合せであり、蓋に配合できる任意に得られる前記容器ではない。蓋部材３にリング部材３５が連結されており、前記リング部材３５が、蓋部材３につれて口部１２にねじ込んでいる。リング部材３５によって蓋部材３における口部１２に締め付ける可能な空間が残る。この時、蓋部材３を緊密に締め付けると、リング部材３５に遮断されるため、誤って蓋部材３を締め付けることによる添加物の収容空間３４からの排出を回避できる。添加物を排出したい場合、口部１２に蓋部材３を緊密に締め付ける前、蓋部材３からリング３５を取り外し、蓋部材３の底部にあるリング部材３５が占める空間を開放し、蓋部材３を口部１２にさらに締め付ければ、上述したような操作により添加物を排出孔２３から排出することができる。
【００１９】
上述した実施例において、前記蓋の蓋部材３は、開孔のないタイプであり、異なる実施例では、蓋部材３に開孔を設け、吸引管を収容空間１１内に挿入するようにしてもよく、このような構成によって、前記実施例の蓋部材３の技術的な効果に加え、吸引管４を挿入する機能も付加されている。図７に示すように、第４実施例において、内部カバー２と下延伸管３２とが螺合される時、内管３６は、下延伸管３２において、一端が蓋部材３までに延伸し、且つ他端が封止端部２２までに延伸している。前記封止端部２２には、内管３６を通過させる貫通孔２２１が設けられ、内管３６は、両端部にある封止端部２２と蓋部材３とを貫通する穿孔３６１を有し、また、蓋部材３の一端に位置され、穿孔３６１を封止する漏れ防止部材３７をさらに有し、この漏れ防止部材３７は、フィルムであり、吸引管４が漏れ防止部材３７で穿孔３６１の一端から外す際に、穿孔３６１を経て蓋部材３と封止端部２２とを貫通して容器本体１内に挿入される。異なる実施例では、内管３６の一端は封止端部２２までに延伸し、且つ他端が蓋部材３に延伸して設けられてもよく（図示せず）、又は吸引管４が挿入される穿孔３６１が設けられてもよい。
【００２０】
図８及び図９に示すように、第５実施例において、蓋部材３が穿孔３６１を備える他の実施例を示している。主に、蓋部材３の頂端部には上延伸管３８を有し、前記上延伸管３８には、前記下延伸管３２を完全に挿入できる空間３８１が設けられ、且つ前記上延伸管３８は、第３雄ねじ部３８２と有し、前記第３雄ねじ部３８２と前記蓋部材３内の第２雌ねじ部３１とは対応のねじ山を有し、穿孔３６１が、蓋部材３の一端で上延伸管３８に貫通され、前記上延伸管３８は、吸引部材５が装着されることに用いられ、前記吸引部材５は、前記内管３６と前記穿孔３６１とを貫通して前記容器本体１内に延伸する吸引管５１を有し、前記吸引管５１は、前記吸引部材５が動作する時に前記容器本体１から収容された前記添加物を混合した溶液を吸い取る。本実施例において、前記吸引部材５は、噴霧ヘッドを例として挙げられている。前記噴霧ヘッドが、吸引部材５により第３雄ねじ部３８２に固着され、容器本体１内に収容された液体を吸い取り、霧化して噴出される。また、吸引部材５は、上記の噴霧ヘッドに加え、他の上延伸管３８に固着される機能性を有する構成でもよく、例えば、ニップルを使用してもよい。この場合、上延伸管３８に固着された後、使用者が容器本体１内に収納された液体を吸うことができる。
【００２１】
上記の構成によれば、第１実施例の効果を奏することに加え、２つ以上の蓋がある場合、図１０に示すように、蓋の下延伸管３２は、内部カバー２が設けられた場合に、他の蓋の上延伸管３８に収容され、且つ２つの蓋のうちの一つの蓋部材３は、第２雌ねじ部３１により他の上延伸管３８の第３雄ねじ部３８２に対応し、直列連結するように固着され、このような構造によって、収納される時に省スペースの効果が得られる。また、蓋部材３の上延伸管３８が、吸引部材５と直接連結することに用いられ、吸引部材５の吸引管５１が容器本体１内に延伸し、溶液を吸い取ることができるので、吸引部材５の設置が容易になる。
【００２２】
図１１は、本発明の第６実施例を示している。第１実施例との主な相違点は以下のようである。本実施例の蓋が適用された容器本体６は、第１実施例における口部と同様であるが（図示せず）、前記口部は、吸引部材５を設けることに用いられ、容器１に設けられた口部１２を閉じることができる。また、容器本体６の片側には、別の口部６１が設けられ、前記蓋が蓋部材３により頸部５１に螺合され、実施例で説明した使用方法のように、前記添加物を口部６１から容器５内に排出して収容された液体を混合することによっても、前記第１実施例と同様の効果を得ることができる。
【符号の説明】
【００２３】
容器本体１            収容空間１１
口部１２              内壁１２１
溝部１２２            第１雄ねじ部１２３
開口部１３            内部カバー２
開放端部２１          封止端部２２
排出孔２３            第１雌ねじ部２４
環状凸部２５          Ｏ字リング２５１
凸部２５Ａ            蓋部材３ 
第２雌ねじ部３１      下延伸管３２
第２雄ねじ部３２１    収容空間３３
開孔３４              リング部材３５
内管３６              穿孔３６１ 
漏れ防止部材３７      上延伸管３８
空間３８１            第３雄ねじ部３８２
吸引管４              吸引部材５
吸引管５１            容器本体６
口部６１
【図１】
2018177368.tif 000003
【図２】
2018177368.tif 000004
【図３】
2018177368.tif 000005
【図４】
2018177368.tif 000006
【図５】
2018177368.tif 000007
【図６】
2018177368.tif 000008
【図７】
2018177368.tif 000009
【図８】
2018177368.tif 000010
【図９】
2018177368.tif 000011
【図１０】
2018177368.tif 000012
【図１１】
2018177368.tif 000013